(57)【要約】【課題】自端子の情報だけで時限切替条件を判定することができる保護継電装置用時限切替回路を提供する。【解決手段】自端遮断器から入力される遮断器状態信号ＳＣＢおよび自端計器用変圧器から入力される線路電圧ＶＶＴに基づいて通常モードか試充電モードかを判定するためのモード判定部３１と、モード判定部３１からタイマ起動信号が入力されると動作を開始して１０秒経過後に１０秒経過信号をモード判定部３１に出力するための１０ｓタイマ３２と、モード判定部３１から入力されるモード判定結果信号に応じて保護継電装置の時限設定部に時限切替信号ＳＳＷを出力するための時限切替部３３とを備える。モード判定部３１が試充電モードと判定すると、時限切替部３３は、保護継電装置の時限を通常時の時限から最小時限に切り替えることを示す時限切替信号ＳＳＷを時限設定部に出力する。【選択図】図１
2016111800.tif 000002
【特許請求の範囲】
【請求項１】
送電線保護用の保護継電装置（１０Ａ〜１０Ｃ，２０Ａ〜２０Ｃ）の時限を切り替えるための保護継電装置用時限切替回路（３０）であって、
自端遮断器（１３０Ａ〜１３０Ｃ，１４０Ａ〜１４０Ｃ）が遮断されているとともに線路電圧（ＶＶＴ）が０Ｖであると、前記保護継電装置の時限を通常時の時限から最小時限に切り替えるための時限切替手段（３１〜３３）を具備する、
ことを特徴とする、保護継電装置用時限切替回路。
【請求項２】
前記時限切替手段が、
前記自端遮断器から入力される遮断器状態信号（ＳＣＢ）および自端計器用変圧器（１５０Ａ〜１５０Ｃ，１６０Ａ〜１６０Ｃ）から入力される前記線路電圧に基づいて通常モードか試充電モードかを判定するためのモード判定部（３１）と、
該モード判定部から入力されるモード判定結果信号に応じて、前記保護継電装置の時限を設定するための時限設定部に時限切替信号（ＳＳＷ）を出力するための時限切替部（３３）とを備え、
前記時限切替部が、試充電モードであるとの判定結果を示す前記モード判定結果信号が前記モード判定部から入力されると、前記保護継電装置の時限を前記通常時の時限から前記最小時限に切り替えることを示す前記時限切替信号を前記時限設定部に出力する、
ことを特徴とする、請求項１記載の保護継電装置用時限切替回路。
【請求項３】
前記時限切替手段が、
前記モード判定部からタイマ起動信号が入力されると動作を開始して、所定時間経過後に所定時間経過信号を該モード判定部に出力するためのタイマ（３２）をさらに備え、
前記モード判定部が、前記所定時間経過信号が前記タイマから入力されたのちに通常モードか試充電モードかを判定する、
ことを特徴とする、請求項２記載の保護継電装置用時限切替回路。
【発明の詳細な説明】
【技術分野】
【０００１】
本発明は、送電線の試充電時などに保護継電装置の時限を切り替えるのに好適な保護継電装置用時限切替回路に関する。
【背景技術】
【０００２】
従来、図７に示すように、送電線のＡ端−Ｂ端区間の電源端側（電源１側）および負荷端側にＡ電源端およびＡ負荷端保護継電装置１１０Ａ，１２０Ａを設置し、送電線のＢ端−Ｃ端区間の電源端側および負荷端側にＢ電源端およびＢ負荷端保護継電装置１１０Ｂ，１２０Ｂを設置するとともに、送電線のＣ端−Ｄ端区間の電源端側および負荷端側にＣ電源端およびＣ負荷端保護継電装置１１０Ｃ，１２０Ｃを設置して、送電線事故（短絡事故や地絡事故など）から送電線を保護している。
ここで、送電線のＡ端−Ｂ端区間、Ｂ端−Ｃ端区間およびＣ端−Ｄ端区間の電源端側に設置されたＡ電源端、Ｂ電源端およびＣ電源端遮断器１３０Ａ〜１３０Ｃを送電線事故時に遮断する際のＡ電源端、Ｂ電源端およびＣ電源端保護継電装置１１０Ａ〜１１０Ｃの時限は、最小区間の停電で事故点の除去を可能にするために、電源端側から順に小さくなるように（たとえば、０．７ｓ、０．４ｓおよび０．１ｓ）設定されている。
同様に、電源１からの給電が停止した場合に他の電源１’（図５（ａ）参照）によってＤ端側から送電線に給電する際に最小区間の停電で事故点の除去を可能にするために、送電線のＡ端−Ｂ端区間、Ｂ端−Ｃ端区間およびＣ端−Ｄ端区間の負荷端側に設置されたＡ負荷端、Ｂ負荷端およびＣ負荷端遮断器１４０Ａ〜１４０Ｃを送電線事故時に遮断する際のＡ負荷端、Ｂ負荷端およびＣ負荷端保護継電装置１２０Ａ〜１２０Ｃの時限は、負荷端側から順に小さくなるように（たとえば、０．１ｓ、０．４ｓおよび０．７ｓ）設定されている。
【０００３】
また、送電線事故後の試充電作業（停電している設備に遮断器を投入して電気を課する作業）は、各保護継電装置の時限を変えることなく行われている。
【０００４】
しかし、各区間で送電線取替作業や設備修理作業などを行う際には、作業時に発生する送電線事故によって加わる設備へのダメージや電力系統全体へ与える電圧変動を最小限に抑えるために、作業後の試充電は、該当区間に設置された保護継電装置の時限を最小時限（たとえば、０〜０．１ｓ）にして行われる場合がある。
このような場合には、運用担当者は、現地に出向いて、該当の保護継電装置の時限を通常時の時限から最小時限に切り替えている。
【０００５】
運用担当者が現地に出向いて保護継電装置の時限切替えを行うことをなくす手法として、本出願人は、下記の特許文献１で、自端と対向端との間に敷設されている送電線を保護する送電線保護装置において、対向端側での保護継電器による遮断器の動作を検出した場合に電流変化を検出すると、後備保護の時限協調をオフにして、自端側に設けられている遮断器を動作させる処理手段を備えた送電線保護装置を提案している。
また、本出願人は、下記の特許文献２で、母線連絡遮断器を投入するための遮断器投入信号が外部から入力されると一定時限の間だけ母線連絡継電器の時限整定値を代替保護用時限整定値から試充電用時限整定値に切り替えたのち一定時限が経過すると試充電用時限整定値から代替保護用時限整定値に切り替えるようにした試充電時限整定切替回路を提案している。
【先行技術文献】
【特許文献】
【０００６】
【特許文献１】特開２０１１−２５４６２６号公報
【特許文献２】特開２０１１−２２９２０６号公報
【発明の概要】
【発明が解決しようとする課題】
【０００７】
しかしながら、上記の特許文献１で提案した送電線保護装置は、自端および対向端の情報で時限切替条件を定めているため、自端と対向端との間で情報通信を行っている保護継電方式には有効であるが、それ以外の保護継電方式には機能の実装が難しく改造範囲が大きくなるという問題がある。
また、上記の特許文献２で提案した試充電時限整定切替回路は、遮断器投入信号が外部から入力されてから時限切替条件を判定して時限変更を実行するものであるため、安定確実な動作をさせるにはロジックの調整が必要になるという問題があるほか、母線および送電線の並用時やループ投入時にも試充電時限整定切替回路が動作するため、これを回避する方策が別途必要になるという問題がある。
【０００８】
本発明の目的は、自端子の情報だけで時限切替条件を判定することができる保護継電装置用時限切替回路を提供することにある。
【課題を解決するための手段】
【０００９】
本発明の保護継電装置用時限切替回路は、送電線保護用の保護継電装置（１０Ａ〜１０Ｃ，２０Ａ〜２０Ｃ）の時限を切り替えるための保護継電装置用時限切替回路（３０）であって、自端遮断器（１３０Ａ〜１３０Ｃ，１４０Ａ〜１４０Ｃ）が遮断されているとともに線路電圧（ＶＶＴ）が０Ｖであると、前記保護継電装置の時限を通常時の時限から最小時限に切り替えるための時限切替手段（３１〜３３）を具備することを特徴とする。
ここで、前記時限切替手段が、前記自端遮断器から入力される遮断器状態信号（ＳＣＢ）および自端計器用変圧器（１５０Ａ〜１５０Ｃ，１６０Ａ〜１６０Ｃ）から入力される前記線路電圧に基づいて通常モードか試充電モードかを判定するためのモード判定部（３１）と、該モード判定部から入力されるモード判定結果信号に応じて、前記保護継電装置の時限を設定するための時限設定部に時限切替信号（ＳＳＷ）を出力するための時限切替部（３３）とを備え、前記時限切替部が、試充電モードであるとの判定結果を示す前記モード判定結果信号が前記モード判定部から入力されると、前記保護継電装置の時限を前記通常時の時限から前記最小時限に切り替えることを示す前記時限切替信号を前記時限設定部に出力してもよい。
前記時限切替手段が、前記モード判定部からタイマ起動信号が入力されると動作を開始して、所定時間経過後に所定時間経過信号を該モード判定部に出力するためのタイマ（３２）をさらに備え、前記モード判定部が、前記所定時間経過信号が前記タイマから入力されたのちに通常モードか試充電モードかを判定してもよい。
【発明の効果】
【００１０】
本発明の保護継電装置用時限切替回路は、以下に示す効果を奏する。
（１）「自端遮断器切」および「線路電圧なし」を要素として通常時の時限から最小時限に切り替えるため、自端子の情報だけで時限切替条件を判定することができる。
（２）時限を自動で切り替えることができるため、試充電要請を受けても運用担当者が現地へ出向く必要をなくすことができるとともに、停電設備を課電する際には常に最小時限とすることができる。
（３）停電設備の課電を常に最小時限で行うことができるため、送電線事故があった場合に最短時間で事故点の除去が可能になる。
（４）各区間での送電線取替作業などの作業後の試充電時の時限を最小時限にすることができるため、作業時に発生する送電線事故によって加わる設備へのダメージや電力系統全体へ与える電圧変動を最小限に抑えることができるので、良質な電力品質の確保に繋げることができるとともに近隣設備への被害波及を最小限に止めることができる。
（５）自端子の情報だけで時限切替条件を判定することができるため、既設のほとんどの保護継電装置に採用できるとともに、「自端遮断器切」および「線路電圧なし」の情報はフェールセーフ機能などのために保護継電装置に既に入力されている場合が多いので、保護継電装置の改造範囲を非常に少なくすることができる。
（６）「自端遮断器切」および「電圧なし」を要素としているため、送電線保護継電装置以外のたとえば母線連絡保護継電装置にも採用できる。
【図面の簡単な説明】
【００１１】
【図１】本発明の一実施例による時限切替回路３０の構成を示すブロック図である。
【図２】図１に示したモード判定部３１の動作について説明するためのフローチャートである。
【図３】図１に示した時限切替回路３０を内蔵したＢ電源端保護継電装置１０Ｂの送電線事故後の試充電時の動作について説明するための図である。
【図４】図１に示した時限切替回路３０を内蔵したＢ電源端保護継電装置１０Ｂの送電線事故後の試充電時の動作について説明するための図である。
【図５】図１に示したモード判定部３１を内蔵したＣ負荷端保護継電装置２０Ｃの電源１’を用いた試充電時の動作について説明するための図である。
【図６】図１に示したモード判定部３１を内蔵したＣ負荷端保護継電装置２０Ｃの電源１’を用いた試充電時の動作について説明するための図である。
【図７】従来の保護継電装置の時限切替について説明するための図である。
【発明を実施するための形態】
【００１２】
上記の目的を、「自端遮断器切」および「線路電圧なし」を要素として通常時の時限から最小時限に切り替えることにより実現した。
【実施例１】
【００１３】
以下、本発明の保護継電装置用時限切替回路の実施例について、図面を参照して説明する。
本発明の一実施例による保護継電装置用時限切替回路３０（以下、「時限切替回路３０」と称する。）は、図１に示すように、モード判定部３１と、１０ｓタイマ３２と、時限切替部３３と、１ｓタイマ３４とを具備する。
【００１４】
ここで、モード判定部３１は、自端遮断器から入力される遮断器状態信号ＳＣＢ（自端遮断器が投入されている場合にはローレベルであるとともに自端遮断器が遮断されている場合にはハイレベルの信号）と、自端計器用変圧器（図３（ａ）に示すＡ電源端、Ｂ電源端およびＣ電源端計器用変圧器１５０Ａ〜１５０Ｃと図５（ａ）に示すＣ負荷端計器用変圧器１６０Ｃ参照）から入力される線路電圧ＶＶＴとに基づいて、通常モードか試充電モードかを判定するためのものである。
【００１５】
１０ｓタイマ３２は、モード判定部３１からタイマ起動信号が入力されると動作を開始して、１０秒が経過すると１０秒経過信号をモード判定部３１に出力するためのものである。
【００１６】
時限切替部３３は、モード判定部３１から入力されるモード判定結果信号に応じて保護継電装置の時限設定部に時限切替信号ＳＳＷを出力するためのものである。
【００１７】
１ｓタイマ３４は、モード判定部３１からタイマ起動信号が入力されると動作を開始して、１秒が経過すると１秒経過信号をモード判定部３１に出力するためのものである。
【００１８】
次に、モード判定部３１の動作について、図２に示すフローチャートを参照して説明する。
モード判定部３１は、自端遮断器から入力される遮断器状態信号ＳＣＢがローレベルからハイレベルに変わったか否かを調べ（ステップＳ１１）、遮断器状態信号ＳＣＢがローレベルのままであると、「通常モード」のままであると判定して（ステップＳ２２）、ステップＳ１１からの動作を繰り返す。
これにより、通常時は、保護継電装置の時限は通常時の時限（たとえば、図７に示した０．７ｓ、０．４ｓおよび０．１ｓ）に保たれる。
【００１９】
一方、ステップＳ１１において遮断器状態信号ＳＣＢがローレベルからハイレベルに変わると、モード判定部３１は、自端計器用変圧器から入力される線路電圧ＶＶＴが０Ｖ（すなわち、線路電圧なし）であるか否かを調べ（ステップＳ１２）、線路電圧ＶＶＴが０Ｖでなければ「通常モード」のままと判定して（ステップＳ２２）、ステップＳ１１からの動作を繰り返す。
これにより、保護継電装置の時限は通常時の時限（たとえば、０．７ｓ、０．４ｓおよび０．１ｓ）に保たれる。
【００２０】
一方、ステップＳ１２において線路電圧ＶＶＴが０Ｖであると、モード判定部３１は、試充電を行う際の再閉路時の動作時間を考慮してモード判定を１０秒間だけ待つために、タイマ起動信号を１０ｓタイマ３２に出力する（ステップＳ１３）。
１０ｓタイマ３２は、モード判定部３１からタイマ起動信号が入力されると、動作を開始し、１０秒経過すると１０秒経過信号をモード判定部３１に出力する（ステップＳ１４）。
【００２１】
モード判定部３１は、１０ｓタイマ３２から１０秒経過信号が入力されると、自端遮断器から入力される遮断器状態信号ＳＣＢがハイレベルのままであるか否かを調べ（ステップＳ１５）、遮断器状態信号ＳＣＢがハイレベルからローレベルに変わると、「通常モード」のままと判定して（ステップＳ２２）、ステップＳ１１からの動作を繰り返す。
これにより、保護継電装置の時限は通常時の時限（たとえば、０．７ｓ、０．４ｓおよび０．１ｓ）に保たれる。
【００２２】
一方、ステップＳ１５において遮断器状態信号ＳＣＢがハイレベルのままであると、モード判定部３１は、自端計器用変圧器から入力される線路電圧ＶＶＴが０Ｖのままであるか否かを調べ（ステップＳ１６）、線路電圧ＶＶＴが０Ｖでなくなっていると、「通常モード」のままと判定して（ステップＳ２２）、ステップＳ１１からの動作を繰り返す。
これにより、保護継電装置の時限は通常時の時限（たとえば、０．７ｓ、０．４ｓおよび０．１ｓ）に保たれる。
【００２３】
一方、ステップＳ１６において線路電圧ＶＶＴが０Ｖのままであると、モード判定部３１は、「試充電モード」と判定して（ステップＳ１７）、この判定結果を示すモード判定結果信号を時限切替部３３に出力する。
時限切替部３３は、モード判定部３１から入力されるモード判定結果信号に応じて、通常時の時限から最小時限への切替えを示す時限切替信号ＳＳＷを時限設定部に出力する。
これにより、保護継電装置の時限は、通常時の時限（たとえば、０．７ｓ、０．４ｓおよび０．１ｓ）から最小時限（たとえば、０〜０．１ｓ）へ切り替えられる。
【００２４】
その後、モード判定部３１は、自端計器用変圧器から入力される線路電圧ＶＶＴが０Ｖのままであるか否かを調べ（ステップＳ１８）、線路電圧ＶＶＴが０Ｖのままであると、自端遮断器から入力される遮断器状態信号ＳＣＢがハイレベルのままであるか否かを調べ（ステップＳ１９）、遮断器状態信号ＳＣＢがハイレベルのままであると、ステップＳ１８からの動作を繰り返す。
【００２５】
一方、ステップＳ１８において線路電圧ＶＶＴが０ＶでなくなったりステップＳ１９において遮断器状態信号ＳＣＢがハイレベルからローレベルに変わったりすると、モード判定部３１は、保護継電装置の動作時間を考慮してモード判定を１秒間だけ待つために、タイマ起動信号を１ｓタイマ３４に出力する（ステップＳ２０）。
１ｓタイマ３４は、モード判定部３１からタイマ起動信号が入力されると、動作を開始し、１秒経過すると１秒経過信号をモード判定部３１に出力する（ステップＳ２１）。
モード判定部３１は、１ｓタイマ３４から１秒経過信号が入力されると、「試充電モード」から「通常モード」に変わったと判定し（ステップＳ２２）、この判定結果を示すモード判定結果信号を時限切替部３３に出力する。
【００２６】
時限切替部３３は、モード判定部３１から入力されるモード判定結果信号に応じて、最小時限から通常時の時限への切替えを示す時限切替信号ＳＳＷを時限設定部に出力する。
これにより、保護継電装置の時限は、最小時限（たとえば、０〜０．１ｓ）から通常時の時限（たとえば、０．７ｓ、０．４ｓおよび０．１ｓ）へ切り替えられる。
【００２７】
次に、図７（ａ）に示したＡ電源端、Ｂ電源端およびＣ電源端保護継電装置１１０Ａ〜１１０ＣとＡ負荷端、Ｂ負荷端およびＣ負荷端保護継電装置１２０Ａ〜１２０Ｃとの代わりに、時限切替回路３０を内蔵させたＡ電源端、Ｂ電源端およびＣ電源端保護継電装置１０Ａ〜１０ＣとＡ負荷端、Ｂ負荷端およびＣ負荷端遮断器２０Ａ〜２０Ｃとを用いたときの送電線のＢ端−Ｃ端区間に発生した送電線事故後の試充電時の各保護継電装置１０Ａ〜１０Ｃ，２０Ａ〜２０Ｃの動作について、図３（ａ）〜（ｃ）および図４（ａ），（ｂ）を参照して説明する。
【００２８】
この場合には、Ａ電源端およびＣ電源端遮断器１３０Ａ，１３０ＣとＡ負荷端およびＣ負荷端遮断器１４０Ａ，１４０Ｃとを遮断させることはないため、Ａ電源端およびＣ電源端保護継電装置１０Ａ，１０ＣとＡ負荷端およびＣ負荷端遮断器２０Ａ，２０Ｃは「通常モード」のままとなる（図２のステップＳ１１参照）。
【００２９】
送電線のＢ端−Ｃ端区間に送電線事故が発生すると、図３（ａ）に×印で示すようにＢ電源端遮断器１３０ＢがＢ電源端保護継電装置１０Ｂによって通常時の時限（＝０．４ｓ）後に遮断されて、送電線のＢ端−Ｃ端区間の線路電圧が０Ｖとなる。
【００３０】
その後、送電線のＢ端−Ｃ端区間の試充電を行う際には、図３（ｂ）に×印で示すようにＢ負荷端遮断器１４０Ｂが遮断される。
これにより、Ｂ電源端およびＢ負荷端保護継電装置１０Ｂ，２０Ｂに内蔵された時限切替回路３０の判定部３１は、「通常モード」から「試充電モード」に変わったと判定して（図２のステップＳ１１〜Ｓ１７参照）、この判定結果を示すモード判定結果信号を時限切替部３３に出力する。
その結果、通常時の時限から最小時限への切替えを示す時限切替信号ＳＳＷが時限切替部３３からＢ電源端およびＢ負荷端保護継電装置１０Ｂ，２０Ｂの時限設定部に出力されるため、Ｂ電源端およびＢ負荷端保護継電装置１０Ｂ，２０Ｂの時限が通常時の時限（＝０．４ｓ）から最小時限（＝０〜０．１ｓ）へ切り替えられる。
【００３１】
その後、図３（ｃ）に示すようにＢ電源端遮断器１３０Ｂが投入されて、試充電が開始される。
このとき、Ｂ負荷端保護継電装置２０Ｂの時限は最小時限（＝０〜０．１ｓ）へ切り替えられたままとなるが、図３（ｃ）に×印で示すようにＢ負荷端遮断器１４０Ｂは遮断されたままであるので、特に問題となることはない。
【００３２】
試充電が問題なく終了すると、図４（ａ），（ｂ）に示すようにＢ電源端遮断器１３０Ｂは投入されたままとなるため、Ｂ電源端保護継電装置１０Ｂに内蔵された時限切替回路３０の判定部３１は、「試充電モード」から「通常モード」に変わったと判定するので（図２のステップＳ１８〜Ｓ２２参照）、Ｂ電源端保護継電装置１０Ｂの時限は最小時限（＝０〜０．１ｓ）から通常時の時限（＝０．４ｓ）へ切り替えられる。
また、Ｂ電源端遮断器１３０Ｂが投入され、Ｂ負荷端の線路電圧が０Ｖでなくなることにより、Ｂ負荷端保護継電装置２０Ｂに内蔵された時限切替回路３０の判定部３１は、「試充電モード」から「通常モード」に変わったと判定するので（図２のステップＳ１８〜Ｓ２２参照）、Ｂ負荷端保護継電装置２０Ｂの時限は最小時限（＝０〜０．１ｓ）から通常時の時限（＝０．４ｓ）へ切り替えられる。
【００３３】
なお、Ｂ端−Ｃ端区間の送電線取替作業や設備修理作業などを行う際には、Ｂ電源端遮断器１３０ＢおよびＢ負荷端遮断器１４０Ｂは、上述した送電線事故後の試充電時と同様にして遮断および投入されるため、これらの作業を行っている間のＢ電源端およびＢ負荷端保護継電装置１０Ｂ，２０Ｂの時限を通常時の時限（＝０．４ｓ）から最小時限（＝０〜０．１ｓ）に切り替えることができる。
【００３４】
次に、送電線のＣ端−Ｄ端区間をＤ端側の電源１’によって試充電する際のＣ負荷端保護継電装置２０Ｃの動作について、図５（ａ）〜（ｃ）および図６（ａ）〜（ｃ）を参照して説明する。
【００３５】
図５（ａ）に示すように、通常時には、Ｃ負荷端保護継電装置２０Ｃの時限は通常時の時限（＝０．７ｓ）とされている。
【００３６】
送電線のＣ端−Ｄ端区間に事故が発生したのち電源１’を用いて試充電を開始する際には、図５（ｂ），（ｃ）に×印で示すようにＣ電源端およびＣ負荷端遮断器１３０Ｃ，１４０Ｃが遮断されて、送電線のＣ端−Ｄ端区間の線路電圧が０Ｖとなる。
これにより、Ｃ負荷端保護継電装置２０Ｃに内蔵された時限切替回路３０の判定部３１は、「通常モード」から「試充電モード」に変わったと判定して（図２のステップＳ１１〜Ｓ１７参照）、この判定結果を示すモード判定結果信号を時限切替部３３に出力する。
その結果、通常時の時限から最小時限への切替えを示す時限切替信号ＳＳＷが時限切替部３３からＣ負荷端保護継電装置２０Ｃの時限設定部に出力されるため、Ｃ負荷端保護継電装置２０Ｃの時限が通常時の時限（＝０．７ｓ）から最小時限（＝０〜０．１ｓ）へ切り替えられる。
【００３７】
その後、図６（ａ）に示すようにＣ負荷端遮断器１４０Ｃが投入されて、試充電が開始される。
【００３８】
なお、Ｃ電源端保護継電装置１０Ｃに内蔵された時限切替回路３０の判定部３１は、同様にして、「通常モード」から「試充電モード」に変わったと判定するため（図２のステップＳ１１〜Ｓ１７参照）、Ｃ電源端保護継電装置１０Ｃの時限も通常時の時限（＝０．１ｓ）から最小時限（＝０〜０．１ｓ）へ切り替えられるが、図６（ａ）に×印で示すようにＣ電源端遮断器１３０Ｃは遮断されたままであるので、特に問題となることはない。
【００３９】
試充電が問題なく終了すると、図６（ｂ），（ｃ）に示すようにＣ負荷端遮断器１４０Ｃは投入されたままとなるため、Ｃ負荷端保護継電装置２０Ｃに内蔵された時限切替回路３０の判定部３１は、「試充電モード」から「通常モード」に変わったと判定するので（図２のステップＳ１８〜Ｓ２２参照）、Ｃ負荷端保護継電装置２０Ｃの時限は最小時限（＝０〜０．１ｓ）から通常時の時限（＝０．４ｓ）へ切り替えられる。
【００４０】
また、図６（ｃ）に示すようにＣ電源端遮断器１３０Ｃが投入されるが、Ｃ電源端保護継電装置１０Ｃに内蔵された時限切替回路３０の判定部３１は、Ｃ電源端の線路電圧が０Ｖでなくなっていることにより「試充電モード」から「通常モード」に変わっているので（図２のステップＳ１８〜Ｓ２２参照）、Ｃ電源端保護継電装置１０Ｃの時限は最小時限（＝０〜０．１ｓ）から通常時の時限（＝０．１ｓ）へ切り替えられている。
【符号の説明】
【００４１】
１，１’  電源
１０Ａ〜１０Ｃ，１１０Ａ〜１１０Ｃ  Ａ電源端、Ｂ電源端およびＣ電源端保護継電装置
２０Ａ〜２０Ｃ，１２０Ａ〜１２０Ｃ  Ａ負荷端、Ｂ負荷端およびＣ負荷端保護継電装置
３０  時限切替回路
３１  モード判定部
３２  １０ｓタイマ
３３  時限切替部
３４  １ｓタイマ
１３０Ａ〜１３０Ｃ  Ａ電源端、Ｂ電源端およびＣ電源端遮断器
１４０Ａ〜１４０Ｃ  Ａ電源端、Ｂ電源端およびＣ負荷端遮断器
１５０Ａ〜１５０Ｃ  Ａ電源端、Ｂ電源端およびＣ電源端計器用変圧器
１６０Ａ〜１６０Ｃ  Ａ電源端、Ｂ電源端およびＣ負荷端計器用変圧器
ＳＣＢ  遮断器状態信号
ＳＳＷ  時限切替信号
ＶＶＴ  線路電圧
Ｓ１１〜Ｓ２２  ステップ
【図１】
2016111800.tif 000003
【図２】
2016111800.tif 000004
【図３】
2016111800.tif 000005
【図４】
2016111800.tif 000006
【図５】
2016111800.tif 000007
【図６】
2016111800.tif 000008
【図７】
2016111800.tif 000009